【事件の表示】
　特願２０１７−１５４０３０「集合住宅用住宅情報盤，集合住宅用インターホンシステム，情報端末の表示方法及びその表示方法を実行させるためのプログラム」拒絶査定不服審判事件〔平成２９年１１月　２日出願公開，特開２０１７−２００２４０〕について，次のとおり審決する。
【結　論】
　本件審判の請求は，成り立たない。
【理　由】
１．手続の経緯・本願発明
　本願は，平成２５年１２月１２日に出願された特願２０１３−２５７０５６号の一部を平成２９年８月９日に分割した出願であって，平成３０年７月１０日付けで拒絶理由が通知され，平成３０年９月１４日に手続補正がなされ，平成３０年１０月２２日付けで拒絶理由が通知され，平成３０年１２月２８日に手続補正がなされ，平成３１年１月２８日付けで拒絶査定がされ，平成３１年４月２２日に拒絶査定不服審判が請求されるとともに，同時に手続補正がなされたものである。
２．平成３１年４月２２日の手続補正についての補正却下の決定
　［補正却下の決定の結論］
　　平成３１年４月２２日の手続補正を却下する。
　［理由］
２−１．本件補正の目的
　平成３１年４月２２日の手続補正（以下，「本件補正」という。）により，特許請求の範囲の請求項１は，
「ネットワークを介してサーバ装置に接続され，共同玄関機またはドアホンと通話する機能を有する集合住宅用住宅情報盤において，
　前記集合住宅用住宅情報盤に用意された情報サービスと前記情報サービス以外の機能とのいずれかを選択するためのメニュー画面を表示するタッチパネル式の表示部を備え，
　前記表示部は，前記メニュー画面において，前記情報サービスを選択する操作がなされたとき，情報サービス画面を表示し，
　前記情報サービス画面において，前記情報サービスを選択する操作がなされたとき，前記ネットワークを介して取得したサービス実行画面を表示し，
　前記サービス実行画面は，共用施設，物品の使用および物品の貸出の少なくとも１以上の予約申し込みを受け付けるための画面を含むことを特徴とする集合住宅用住宅情報盤。」（以下，「補正前発明」という。）
　から
「ネットワークを介してサーバ装置に接続され，共同玄関機またはドアホンと通話する機能を有する集合住宅用住宅情報盤において，
　前記集合住宅用住宅情報盤に用意された情報サービスと前記情報サービス以外の機能とのいずれかを選択するためのメニュー画面を表示するタッチパネル式の表示部を備え，
　前記表示部は，前記メニュー画面において，前記情報サービスを選択する操作がなされたとき，情報サービス画面を表示し，
　前記情報サービス画面において，前記情報サービスを選択する操作がなされたとき，前記ネットワークを介して取得したサービス実行画面を表示し，
　前記サービス実行画面は，共用施設の抽選を伴う予約申し込みを受け付けるための画面を含み，前記予約申し込みに対する抽選結果を前記表示部に表示することを特徴とする請求項１に記載の集合住宅用住宅情報盤。」
　と補正された。
　ここで，「請求項１に記載の」は，審判請求書に「補正後の新請求項１は，補正前の請求項１に請求項２を付加して，特許請求の範囲を限定的に減縮したものである。」と記載されているように，「請求項２を付加」する際の誤記であることが明らかであるから，本件補正後の発明は，
「ネットワークを介してサーバ装置に接続され，共同玄関機またはドアホンと通話する機能を有する集合住宅用住宅情報盤において，
　前記集合住宅用住宅情報盤に用意された情報サービスと前記情報サービス以外の機能とのいずれかを選択するためのメニュー画面を表示するタッチパネル式の表示部を備え，
　前記表示部は，前記メニュー画面において，前記情報サービスを選択する操作がなされたとき，情報サービス画面を表示し，
　前記情報サービス画面において，前記情報サービスを選択する操作がなされたとき，前記ネットワークを介して取得したサービス実行画面を表示し，
　前記サービス実行画面は，共用施設の抽選を伴う予約申し込みを受け付けるための画面を含み，前記予約申し込みに対する抽選結果を前記表示部に表示することを特徴とする集合住宅用住宅情報盤。」（以下，「本件補正発明」という。）
　であると認められる。
　上記補正は，補正前発明において「共用施設，物品の使用および物品の貸出の少なくとも１以上」から「共用施設」だけに限定するとともに，「予約申し込み」を「抽選を伴う予約申し込み」として，「前記予約申し込みに対する抽選結果を前記表示部に表示する」ようにしたものであるから，本件補正は特許法第１７条の２第５項第２号の特許請求の範囲の減縮を目的とするものに該当する。
　そこで，本件補正発明が特許出願の際独立して特許を受けることができるものであるか（特許法第１７条の２第６項において準用する同法第１２６条第７項の規定に適合するか）について以下に検討する。
２−２．引用例記載の発明
（１）原査定の拒絶の理由に引用された，本願出願前である平成１６年４月２２日に頒布された特開２００４−１２８６２４号公報（以下，「引用例１」という。）には，
「【０００１】
【発明の属する技術分野】
本発明は，集合住宅インターホンシステムに係り，特に，
インターホン機能を有すると共に，システム内機器間のネットワークを通じて種々サービスを受けることができる集合住宅インターホンシステムに関する。
「【００２０】
また，本発明の集合住宅インターホンシステムにおいて，
生活情報盤は，施設予約がされた内容を確認するため，操作部で所定の操作を行なうと情報サーバに保存した施設の予約状況を読み出して表示部に表示させる機能を有するものである。
「【００２２】
本発明の集合住宅インターホンシステムは図１に示すように，集合住宅館内に，カメラ１６で撮像した訪問者の映像を作成すると共に，居住者を呼び出し，通話を行なうための拡声スピーカ１２，マイク１３や，居室番号等を表示するためのＬＣＤモニタ等から成る表示部１１を有する集合玄関機１と，
訪問者と通話するためのハンドセットスピーカ３２ａ，ハンドセットマイク３２ｂから成る通話部であるハンドセット３２，訪問者の映像を表示するためのＬＣＤモニタ等から成る表示部３１，集合玄関機１による訪問者からの呼び出しを報知するための呼出音を鳴動する拡声スピーカ３３，各種操作を行なうための表示部操作ボタン等を有する操作部３４，およびＬＥＤ等から成る表示灯３５を有する生活情報盤３ａ
【００２３】
制御装置５は，制御回路５１および通信回路５２ａ，５２ｂ，５２ｃ，５２ｄから構成され，集合玄関機１が通信回路５２ａを，管理室親機２が通信回路５２ｂを，生活情報盤３ａ，３ｂ，・・・が通信回路５２ｃを介してそれぞれ制御回路５１に接続されている。また，制御回路５１に接続されている通信回路５２ｄはＨＵＢ８に接続されている。
【００２４】
また，
集合住宅館内には，集合住宅館内の施設情報，館外の地域情報等の各種情報を保存する情報サーバ９と，管理センタ６内に設けられ情報サーバ９に蓄積されている情報を管理し，情報サーバ９に蓄積されている情報を編集し，編集された情報を情報サーバ９に蓄積する機能を有する管理用パソコン６２とを備えている。
【００２５】
さらに，集合住宅館内には，館内の店舗と契約する場合，館内契約店舗７が所有し契約した店舗からの広告情報を情報サーバ９に蓄積することにより生活情報盤３ａ，３ｂ，・・・へ情報を提供し，生活情報盤３ａ，３ｂ，・・・から情報サーバ９を介して館内契約店舗７に対しての注文を受けるための館内契約店舗用パソコン７１を備えている。これにより，館内契約店舗７と情報サーバ９，
生活情報盤３ａ
と情報サーバ９間でアクセスすることができるようになる。
【図１】
「【００２６】
ここで，
生活情報盤３ａ
の詳細について説明すると，
表示部３１は表示部駆動回路３６を介して通信インタフェース（ＩＦ）４５に接続され，ハンドセット３２のハンドセットスピーカ３２ａはスピーカアンプ４３を，ハンドセットマイク３２ｂはマイクアンプ４４を介してそれぞれ２線４線変換回路であるＣＯＤＥＣ４２に接続され，ＣＯＤＥＣ４２は通信ＩＦ４５に接続されている。また，拡声スピーカ３３は拡声スピーカアンプ４１を介して音声合成回路４０に接続され，音声合成回路４０はＣＰＵ３７に接続され，ＣＰＵ３７は通信ＩＦ４５に接続されている。また，ＣＰＵ３７には，タッチパネル操作信号送出回路３８を介して操作部３４が，
接続されている。
【図２】
「【００３０】
このような集合住宅インターホンシステムの情報サーバ９は，生活情報盤３ａ，３ｂ，・・・の操作部３４の操作により起動され集合住宅内の施設利用を行なうための予約機能，情報サーバ９に保存された各種情報を取得するための情報取得機能，契約店舗への注文機能等の各種機能を実行する機能を有している。なお，生活情報盤３ａ，３ｂ，・・・の操作部３４は集合住宅内の施設利用を行なうための予約機能，情報サーバ９に保存された各種情報を取得するための情報取得機能，契約店舗への注文機能等の各種機能を起動することができ，また，
表示部３１は情報サーバ９から取得した情報の表示，情報サーバ９から各種情報を取得するためのメニュー画面の表示をすることができる。
【００３１】
次に，生活情報盤３ａ，３ｂ，・・・のＣＰＵ３７は，操作部３４の操作にしたがって管理センタ６の管理用パソコン６２で編集された情報を情報サーバ９から読み出し表示部３１に表示する機能を有している。また，生活情報盤３ａ，３ｂ，・・・のＣＰＵ３７は，管理用パソコン６２により情報サーバ９に新規に登録された情報を新着情報として表示期限設定し，生活情報盤３ａ，３ｂ，・・・に知らされた新着情報を表示部３１に表示されたメニュー画面に基づいて操作部３４で取得するための所定の操作をすると，該当する期限情報が含まれた新着情報のタイトルを表示部３１に表示させる機能を有している。これにより，新着情報の有効期限を生活情報盤３ａ，３ｂ，・・・の表示部３１で確認することができる。このような生活情報盤３ａ，３ｂ，・・・は表示灯３５に，新着情報を受信したとき点灯または点滅するＬＥＤ等から成る新着表示灯３５ａを備えている。これにより，新着情報の有無を生活情報盤３ａ，３ｂ，・・・で視覚にて確認できる。
【００３２】
また，
生活情報盤３ａ
は情報サーバ９に保存された新着情報が複数ある場合は，表示部駆動回路３６を介して新着情報のタイトルを一覧で表示部３１に表示させる機能を有している。
また，生活情報盤３ａ
の表示部駆動回路３６は，生活情報盤３ａ
の表示部３１に表示された新着情報のタイトルを操作部３４にて選択すると，新着情報のタイトルとリンクした詳細情報を情報サーバ９から読み出して表示部３１に表示させる機能を有している。
【００３３】
次に，管理センタ６の管理用パソコン６２は，各種情報を簡易作成するにあたり表示されるレイアウトを変更するためのテンプレートを情報サーバ９に登録する機能を有している。これにより，情報サーバ９に登録されるテンプレートのレイアウトを管理用パソコン６２で容易に変更することができる。また，管理用パソコン６２は，生活情報盤３ａ，３ｂ，・・・からの施設予約を管理し，施設予約があったときには，その情報を情報サーバ９に予約完了情報として保存するとともに生活情報盤３ａ，３ｂ，・・・に施設予約の受付がされた旨の情報を通知する機能を有している。これにより，生活情報盤３ａ，３ｂ，・・・で施設予約が完了したことを確認できる。なお，生活情報盤３ａ，３ｂ，・・・は表示灯３５に，予約完了情報を受信したとき点灯または点滅するＬＥＤ等から成る予約完了表示灯３５ｂを備えている。これにより，施設予約が完了したことを生活情報盤３ａ，３ｂ，・・・で視覚にて確認できる。このような
生活情報盤３ａ
は，施設予約がされた内容を確認するため，操作部３４で所定の操作を行なうと情報サーバ９に保存した施設の予約状況を読み出して表示部３１に表示させる機能を有している。
「【００３６】
なお，
集合玄関に居る来訪者が集合玄関機１で住戸内に在室中の居住者
を呼び出して，住戸内の生活情報盤３ａ
との通話を成立させる動作，
については従来と同様であるので説明を省略する。
　の記載があるから，引用例１には，
「インターホン機能を有すると共に，システム内機器間のネットワークを通じて種々サービスを受けることができる集合住宅インターホンシステムの生活情報盤３ａであって，
　訪問者と通話するためのハンドセットスピーカ３２ａ，ハンドセットマイク３２ｂから成る通話部であるハンドセット３２，訪問者の映像を表示するためのＬＣＤモニタ等から成る表示部３１，集合玄関機１による訪問者からの呼び出しを報知するための呼出音を鳴動する拡声スピーカ３３，各種操作を行なうための表示部操作ボタン等を有する操作部３４，およびＬＥＤ等から成る表示灯３５を有し，
　表示部３１は表示部駆動回路３６を介して通信インタフェース（ＩＦ）４５に接続され，ハンドセット３２のハンドセットスピーカ３２ａはスピーカアンプ４３を，ハンドセットマイク３２ｂはマイクアンプ４４を介してそれぞれ２線４線変換回路であるＣＯＤＥＣ４２に接続され，ＣＯＤＥＣ４２は通信ＩＦ４５に接続され，拡声スピーカ３３は拡声スピーカアンプ４１を介して音声合成回路４０に接続され，音声合成回路４０はＣＰＵ３７に接続され，ＣＰＵ３７は通信ＩＦ４５に接続され，ＣＰＵ３７には，タッチパネル操作信号送出回路３８を介して操作部３４が，表示灯駆動回路３９を介して表示灯３５の新着表示灯３５ａ，予約完了表示灯３５ｂがそれぞれ接続され，
　集合住宅館内には，集合住宅館内の施設情報，館外の地域情報等の各種情報を保存する情報サーバ９と，管理センタ６内に設けられ情報サーバ９に蓄積されている情報を管理し，情報サーバ９に蓄積されている情報を編集し，編集された情報を情報サーバ９に蓄積する機能を有する管理用パソコン６２とを備え，
　生活情報盤３ａと情報サーバ９間でアクセスすることができ，
　表示部３１は情報サーバ９から取得した情報の表示，情報サーバ９から各種情報を取得するためのメニュー画面の表示をすることができ，
　生活情報盤３ａは情報サーバ９に保存された新着情報が複数ある場合は，表示部駆動回路３６を介して新着情報のタイトルを一覧で表示部３１に表示させる機能，表示部３１に表示された新着情報のタイトルを操作部３４にて選択すると，新着情報のタイトルとリンクした詳細情報を情報サーバ９から読み出して表示部３１に表示させる機能を有しており，
　集合玄関に居る来訪者が集合玄関機１で住戸内に在室中の居住者を呼び出して，住戸内の生活情報盤３ａとの通話を成立させ，
　施設予約がされた内容を確認するため，操作部３４で所定の操作を行なうと情報サーバ９に保存した施設の予約状況を読み出して表示部３１に表示させる機能を有する，
　生活情報盤３ａ。」
　の発明が記載されている。（以下，「引用発明」という。）
（２）拒絶査定において周知文献として引用された特開２０１３−２１１７２９号公報（以下，「引用例２」という。）には，
「【００１１】
　
本発明に係る集合住宅管理システムは，インターホンシステムをベースとして，そこに
電子掲示板等の情報サービスを付加したものである。
【００１２】
　図１に示すように，実施形態として例示するシステム１は，システム全体を制御する制御装置１１より棟内回線（インターホン回線）１２が集合住宅棟の各住宅，共用部，管理人室まで敷設され，この回線に，住宅情報端末１３等の端末装置が分岐器１４を介して接続されている。」
「【００２０】
　ここでシステム１の基本動作を簡単に説明する。すなわちシステム１は，主たる機能の一つとしてインターホン機能を提供する。すなわち
ロビーインターホン１６で部屋番号を指定した呼出操作がなされると，対応した住宅の住宅情報端末１３では呼出音が鳴動して来訪者の映像が表示部１３ｃに映される。その住宅情報端末１３で応答操作がなされると，ロビーインターホン１６との間で相互通話が可能になる。
「【００４７】
　図４の（ａ）〜（ｅ）は，住宅情報端末１３における各種表示画面の例である。
【００４８】
　
図４（ａ）はトップ画面Ｗ１の例である。
中段部は，
モード切替ボタンとが配置されている。下段部は，呼出／伝言ボタン，情報ボタン，記録管理ボタンが配置されている。
【００４９】
　
図４（ｂ）は，情報サービス画面Ｗ２の例である。この画面はトップ画面の情報ボタンの操作によって呼び出される。情報サービスのサブカテゴリを呼び出すためのボタンが配置されている。
【００５０】
　
図４（ｃ）は，電子掲示板カテゴリに限定された記事一覧画面Ｗ３の例である。この画面は情報サービス画面Ｗ２のデジタル掲示板ボタンの操作によって呼び出される。
【００５１】
　図４（ｄ）は，記事画面Ｗ４の例である。この画面には，回答画面Ｗ５を呼び出すためのアンケートボタンが配置されている。
【００５２】
　図４（ｅ）は，回答画面Ｗ５の例である。設問毎に，「はい」，「いいえ」の回答ボタンが配置されている。
【００５３】
　図４（ｆ）は，新着情報画面Ｗ５の例である。この画面は，トップ画面Ｗ１の表示中（消灯中を含む）に新着情報が受信されると，所定時間ポップアップ表示される。記事のヘッドラインが表記され，確認ボタンが配置されている。確認ボタンの操作によって，図４（ｄ）に示した記事画面Ｗ４が呼び出される。
【００５４】
　
これらの画面の中で，トップ画面Ｗ１および新着情報画面Ｗ６は，その画面情報が住宅情報端末１３にローカルファイルとして予め用意されている。それ以外の情報サービス画面Ｗ２，記事一覧画面Ｗ３，記事画面Ｗ４，回答画面Ｗ５は，サーバ装置３に保存されており，住宅情報端末１３のブラウザ１３ｆによって読み出される。
【図４】
　の記載によれば，
　トップ画面の情報ボタンの操作によって呼び出される情報サービスの選択とロビーインターホンとの通話が可能な集合住宅の住宅情報端末において，トップ画面の構成として「モード切替」「呼出」「情報」等をメニュー形式で表示し，「情報」ボタンの操作により「デジタル掲示板」「交通情報一覧」「地域情報」等の情報サービスのサブカテゴリを呼び出すためのボタンが配置されている情報サービス画面を表示し，「デジタル掲示板」ボタンの操作により記事のヘッドラインが一覧表示された記事一覧画面を表示する構成とするものであって，トップ画面を住宅情報端末内にローカル文書として準備し，情報サービス画面，記事一覧画面はサーバに保存されていることが記載されている。
　ここで，「住宅情報端末」は，「インターホン」であり，「記事一覧画面」は，情報サービス画面において「デジタル掲示板」を選択した結果を閲覧している画面であって，「情報」以外の「モード切替」等が「情報サービス以外の機能」であることは明らかである。
　すなわち，引用例２によれば，
　情報サービスの選択と共用玄関機との通話が可能な集合住宅用のインターホンに用意された情報サービスと情報サービス以外の機能のいずれかを選択するためのメニュー形式のトップ画面を表示し，メニュー形式のトップ画面において情報サービスを選択する操作がなされた場合に情報サービス画面を表示し，情報サービス画面において，所定のサービスを選択する操作がなされたとき，サーバから取得したサービスの結果を閲覧させる画面を表示すること，は周知である。（以下，「周知技術１」という。）
（３）拒絶査定において周知文献として引用された特開２０１２−８３９８５号公報（以下，「引用例３」という。）には，
「【０００１】
　本発明は，
マンション等の建物に設けられて入居者が利用することができる共有施設であって，予約等によって利用することができる共有施設予約管理システム
【背景技術】
【０００２】
　
近年のマンション等には，入居者が快適に暮らすための共有施設として，
事前に予約することによって使用することができる共有施設がある。
【０００３】
　この際，
これらの共有施設は，
申し込み順としてしまうのでは不平等となってしまう虞がある。
【０００４】
　
そこで，このような共有施設では，一般の公共施設と同様に，例えば，利用日の１ヶ月前に利用者を決定すると共に，その１週間前から予約を受け付け，申込者が単独であった場合にはそのままその申込者に利用の権利を与え，申込者が重複した場合には抽選により利用者を決定する方式を採用している場合が多い。
　の記載によれば，
　マンション等の共有施設の利用者を決定するにあたり，申し込み順とすると不公平となる虞があるために，予約受付と申し込み者が重複した場合には抽選により利用者を決定する方式を採用する場合が多いこと，は周知である。（以下，「周知技術２」という。）
２−３．本件補正発明と引用発明の対比
　引用発明の「集合住宅インターホンシステムの生活情報盤３ａ」は，本件補正発明の「集合住宅用住宅情報盤」に，
　引用発明の「情報サーバ９」は，本件補正発明の「サーバ装置」に，
　引用発明の「集合玄関機１」は，本件補正発明の「共用玄関機」に，
　引用発明の「施設」は，本件補正発明の「共用施設」に，
　それぞれ相当する。
　引用発明の集合住宅インターホンシステムは，「システム内機器間のネットワークを通じて種々サービスを受けることができる」ものであって，「生活情報盤３ａの操作部３４の操作により起動され集合住宅内の施設利用を行なうための予約機能，情報サーバ９に保存された各種情報を取得するための情報取得機能，契約店舗への注文機能等の各種機能を実行する機能」を情報サーバ９が有しており，生活情報盤３ａは「通信ＩＦ４１」を有し，「生活情報盤３ａと情報サーバ９間でアクセスすることができ」るから，引用発明の「生活情報盤３ａ」は，「ネットワークを介してサーバ装置に接続され」ているといえる。
　引用発明は，「訪問者と通話するためのハンドセットスピーカ３２ａ，ハンドセットマイク３２ｂから成る通話部であるハンドセット３２，訪問者の映像を表示するためのＬＣＤモニタ等から成る表示部３１，集合玄関機１による訪問者からの呼び出しを報知するための呼出音を鳴動する拡声スピーカ３３」を有しており，「集合玄関に居る来訪者が集合玄関機１で住戸内に在室中の居住者を呼び出して，住戸内の生活情報盤３ａとの通話を成立させ」ることができるから，「共用玄関機と通話する機能」を有しているといえる。
　したがって，引用発明の「集合住宅インターホンシステムの生活情報盤３ａ」は，「ネットワークを介してサーバ装置に接続され，共同玄関機と通話する機能を有する集合住宅用住宅情報盤」である。
　引用発明は，「表示部３１は情報サーバ９から取得した情報の表示，情報サーバ９から各種情報を取得するためのメニュー画面の表示をすることができ」，「メニュー画面を表示」して「表示された新着情報のタイトルを操作部３４にて選択する」ものであって，「操作部３４」には，「タッチパネル操作信号送出回路３８を介して」ＣＰＵ３７が接続されており，図１を参照すれば，「操作部３４」は「表示部３１」に存在しているから，引用発明の「表示部３１」は「メニュー画面を表示」して「表示された新着情報のタイトルを操作部３４にて選択する」ものであって，「タッチパネル」であるといえる。
　つまり，引用発明は「メニュー画面を表示するタッチパネル式の表示部を備え」ている。
　引用発明の「メニュー画面」は，「情報サーバ９から各種情報を取得するため」の画面である。
　そして，「生活情報盤３ａ」は「新着情報のタイトルを一覧で表示部３１に表示させ」て，「表示部３１に表示された新着情報のタイトルを操作部３４にて選択すると，新着情報のタイトルとリンクした詳細情報を情報サーバ９から読み出して表示部３１に表示させる機能を有し」ており，また「施設予約がされた内容を確認するため，操作部３４で所定の操作を行なうと情報サーバ９に保存した施設の予約状況を読み出して表示部３１に表示させる機能を有し」ている。
　つまり，引用発明の「メニュー画面」から，新着情報や施設の予約状況を読み出すことが可能である。
　ここで，本願の【００３０】によれば，「サービス結果情報を閲覧させるため」の画面が「サービス実行画面」であるから，引用発明の「予約状況」を表示している画面は，本件補正発明の「サービス実行画面」に相当する。
　引用発明の生活情報盤３ａが施設の予約を行うにあたり，タッチパネルである表示部３１に「施設の予約申し込みを受け付けるための画面」が表示されることは自明である。
　さらに，施設予約がされた内容を確認するため，表示部３１に「予約状況」を表示する機能を有しているから，「予約申し込みに対する結果」を表示部３１に表示する，といえる。
　したがって，本件補正発明と引用発明は，
「ネットワークを介してサーバ装置に接続され，共同玄関機と通話する機能を有する集合住宅用住宅情報盤において，
　前記集合住宅用住宅情報盤にメニュー画面を表示するタッチパネル式の表示部を備え，
　前記表示部は，前記メニュー画面において，前記情報サービスを選択する操作がなされたとき，前記ネットワークを介して取得したサービス実行画面を表示し，
　前記サービス実行画面は，共用施設の予約申し込みを受け付けるための画面を含み，前記予約申し込みに対する結果を前記表示部に表示することを特徴とする集合住宅用住宅情報盤。」
　で一致し，下記の点で相違する。
　相違点１
　表示部への表示に関し，本件補正発明のメニュー画面は「前記集合住宅用住宅情報盤に用意された情報サービスと前記情報サービス以外の機能とのいずれかを選択するため」の画面であって，メニュー画面の「情報サービス」を選択する操作がなされたときに「情報サービス画面」を表示し，「情報サービス画面において，前記情報サービスを選択する操作がなされたとき，前記ネットワークを介して取得したサービス実行画面」を表示するのに対し，引用発明はどのような画面を表示して新着情報や施設の予約状況を読み出すのか記載がない点。
　相違点２
　本件補正発明は，共用施設の予約申し込みが「抽選を伴う」ものであって，予約申し込みに対する結果として「抽選結果」を表示するのに対し，引用発明は，予約申し込みが抽選を伴う記載はなく，予約申し込みに対する結果が「予約状況」である点。
２−４．相違点についての検討
　相違点１について
　引用発明は，メニュー画面を表示して，情報サービスを選択することが可能である一方，共用玄関機と通話する機能も有している。
　ここで，情報サービスの選択と共用玄関機との通話が可能な集合住宅用のインターホンに用意された情報サービスと情報サービス以外の機能のいずれかを選択するためのメニュー形式のトップ画面を表示し，メニュー形式のトップ画面において情報サービスを選択する操作がなされた場合に情報サービス画面を表示し，情報サービス画面において，所定のサービスを選択する操作がなされたとき，サーバから取得したサービスの結果を閲覧させる画面を表示することが周知技術１であって，「サービスの結果を閲覧させる画面」とは，本件補正発明の「サービス実行画面」であり，サーバから取得することは，ネットワークを介して取得することである。
　引用発明の「生活情報盤３ａ」は，「集合住宅」用の「インターホン」であるから，引用発明の生活情報盤３ａの表示部３１への表示に際し，周知技術１のように「住宅情報盤に用意された情報サービスと情報サービス以外の機能のいずれかを選択するためのメニュー画面」を表示し，「メニュー画面において情報サービスを選択する操作がなされた場合に情報サービス画面を表示」し，「情報サービス画面において，所定のサービスを選択する操作がなされたとき，ネットワークを介して取得したサービス実行画面を表示」することは，当業者が容易に想到しうることである。
　相違点２について
　マンション等の共有施設の利用者を決定するにあたり，申し込み順とすると不公平となるために，予約受付と申し込み者が重複した場合には抽選により利用者を決定する方式を採用する場合が多いことが，周知技術２として知られるように周知であり，引用発明の共用施設の予約申し込みを，周知技術２のように，共用施設利用者の決定を不公平としないよう，抽選により利用者を決定する方式，すなわち「抽選を伴う」予約申し込みとすることは容易に想到しうることである。
　ここで，抽選を行う場合は，「予約申し込みに対する結果」は「抽選結果」に他ならないから，引用発明の「予約状況」として「抽選結果」を表示するようにすることは当然のことに過ぎない。
　つまり，引用発明において，「共用施設の抽選を伴う予約申し込み」を受け付け，予約申し込みに対する抽選結果を表示部に表示するようにすることは，当業者が容易に想到しうることである。
　したがって，本件補正発明は，引用発明及び周知技術に基づいて容易に発明をすることができたものである。
２−５．むすび
　上記２−４．に記載したとおり，本件補正発明は引用発明及び周知技術に基いて，当業者が容易に発明をすることができたものであるから，特許法第２９条第２項の規定により特許出願の際独立して特許を受けることができないものである。
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
３．本願発明について
３−１．本願発明
　平成３１年４月２２日の手続補正は上記のとおり却下されたので，本願の請求項１に係る発明（以下，「本願発明」という。）は，平成３０年１２月２８日の手続補正書の特許請求の範囲の請求項１に記載された事項により特定される，以下のとおりのものである。
「ネットワークを介してサーバ装置に接続され，共同玄関機またはドアホンと通話する機能を有する集合住宅用住宅情報盤において，
　前記集合住宅用住宅情報盤に用意された情報サービスと前記情報サービス以外の機能とのいずれかを選択するためのメニュー画面を表示するタッチパネル式の表示部を備え，
　前記表示部は，前記メニュー画面において，前記情報サービスを選択する操作がなされたとき，情報サービス画面を表示し，
　前記情報サービス画面において，前記情報サービスを選択する操作がなされたとき，前記ネットワークを介して取得したサービス実行画面を表示し，
　前記サービス実行画面は，共用施設，物品の使用および物品の貸出の少なくとも１以上の予約申し込みを受け付けるための画面を含むことを特徴とする集合住宅用住宅情報盤。」
３−２．原査定の拒絶の理由
　平成３１年１月２８日付けの拒絶査定の理由の概要は，以下のとおりである。
１．（進歩性）この出願の請求項１−８に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　＜引用文献等一覧＞
１．特開２００４−１２８６２４号公報
２．特開２０１２−８３９８５号公報（周知技術を示す文献）
３．特開２００９−２６６０９９号公報（周知技術を示す文献）
４．特開２００４−１３５２０２号公報（周知技術を示す文献）
５．特開２０１３−２１１７２９号公報（周知技術を示す文献）
６．特開２０１３−２１１７２７号公報（周知技術を示す文献；新たに引用された文献）
７．特開２０１２−１８２５３９号公報（周知技術を示す文献；新たに引用された文献）
８．特開２０１３−２１１７３０号公報（周知技術を示す文献；新たに引用された文献）
３−３．引用例記載の発明
　引用発明は，「２−２．引用例記載の発明」の（１）に記載したとおりである。
３−４．本願発明と引用発明の対比と判断
　本願発明は，前記２．で検討した本件補正発明において，予約申し込みの対象を「共用施設」から「共用施設，物品の使用および物品の貸出の少なくとも１以上」にするとともに，「抽選を伴う予約申し込み」から「抽選を伴う」との限定を削除したものである。
　そうすると，本願発明の構成要件をすべて含み，さらに構成要件を限定した本件補正発明が，前記２−４．に記載したとおり，引用発明及び周知技術に基いて，当業者が容易に発明をすることができたものであるから，本願発明も同様の理由により，引用発明及び周知技術に基いて，当業者が容易に発明をすることができたものである。
４．まとめ
　以上のとおり，本願発明は，引用発明及び周知技術に基いて，当業者が容易に発明をすることができたものであるから，特許法第２９条第２項の規定により特許を受けることができない。
　したがって，本願は，他の請求項に係る発明について検討するまでもなく，拒絶すべきものである。
　よって，結論のとおり審決する。